【手続補正書】
【提出日】平成19年3月7日(2007.3.7)
【手続補正１】
【補正対象書類名】特許請求の範囲
【補正対象項目名】全文
【補正方法】変更
【補正の内容】
【特許請求の範囲】
【請求項１】
組成
酸化銀を含まないガラスの総量に基づいて、
Ｐ2Ｏ5を３０〜７５モル％、
ＳｉＯ2を５〜５０モル％、
Ｒ1Ｏを２０〜５５モル％、
Ｒ22Ｏを０〜５モル％、
Ａｌ2Ｏ3を３〜２０モル％、及び
ガラスの総質量に基づいて
Ａｇ2Ｏを０．１％〜５重量％
の、抗菌性の銀含有ガラスを含んでなり、ここで
Ｒ1はＣａ、Ｍｇ、Ｚｎ及び／又はＣｕから選択され、そしてＲ2はＮａ、Ｋ及び／又はＬｉから選択される、
皮膚に対する配置又は適用に適する物質。
【請求項２】
物質が、重合体物質のポリアクリレート、ポリイソブチレン、スチレンブロック共重合体（ＳＢＣ）、ＳＩＢＳ化合物、ＳＥＢＳ化合物、シリコーン、ゴム化合物、キトサン、アルギネート、ヒドロゲル、ヒドロコロイド、寒天／ＰＡＳ基剤のゲルマトリックス、、ＰＶＡ／ＰＡＳ基剤の重合体及び／又は好ましくはポリウレタンの群から選択されることを特徴とする、請求項１記載の物質。
【請求項３】
抗菌性又は消毒性皮膚手入れ剤、毛髪手入れ剤及び／又は創傷手当て剤のための請求項１又は２記載の物質の使用方法。
【請求項４】
湿った創傷の処置のための湿式活性（ｈｙｄｒｏａｃｔｉｖｅ）創傷接触物質としての請求項２記載の重合体物質の使用方法。
【手続補正２】
【補正対象書類名】明細書
【補正対象項目名】０３１１
【補正方法】変更
【補正の内容】
【０３１１】
［実施例４３］
ゲルクリーム
質量含量（％）
アクリレート／Ｃ１０−３０アルキル            ０．４０
アクリレートクロスポリマー
カーボマー                                    ０．２０
キサンタンガム                                ０．１０
セテアリールアルコール                        ３．００
Ｃ１２−１５アルキルベンゾエート              ４．００
カプリル酸／カプリン酸トリグリセリド          ３．００
シクロメチコン                                ５．００
ジメチコン                                    １．００
銀ガラス                                      ０．３０
グリセロール                                  ３．００
水酸化ナトリウム                              適量
保存剤                                        適量
香料                                          適量
脱塩水（ｐＨ６．０に調整）                    全１００．０
［実施例４４］
Ｗ／Ｏクリーム
Ｌａｍｅｆｏｒｍ  ＴＧＩ      ３．５０
グリセロール                  ３．００
Ｄｅｈｙｍｕｌｓ  ＰＧＰＨ    ３．５０
銀ガラス                      ０．１０
保存剤                        適量
香料                          適量
脱塩水                        全１００．０
硫酸マグネシウム              ０．６
イソプロピルステアレート      ２．０
カプリリルエーテル            ８．０
セテアリールイソノナノエート  ６．０
［実施例４５］
Ｗ／Ｏ／Ｗクリーム
質量含量（％）
グリセリルステアレート                ３．００
ＰＥＧ−１００ステアレート            ０．７５
ベヘニルアルコール                    ２．００
カプリル酸／カプリン酸トリグリセリド  ８．００
オクチルドデカノール                  ５．００
Ｃ１２−１５アルキルベンゾエート      ３．００
銀ガラス                              １．００
硫酸マグネシウム（ＭｇＳＯ4）         ０．８０
ＥＤＴＡ                              ０．１０
保存剤                                適量
香料                                  適量
脱塩水（ｐＨ６．０に調整）            全１００．０
本発明の好適な実施の態様は次のとおりである。
１．  組成
酸化銀を含まないガラスの総量に基づいて、
Ｐ2Ｏ5を３０〜７５モル％、
ＳｉＯ2を５〜５０モル％、
Ｒ1Ｏを２０〜５５モル％、
Ｒ22Ｏを０〜５モル％、
Ａｌ2Ｏ3を３〜２０モル％、及び
ガラスの総質量に基づいて
Ａｇ2Ｏを０．１％〜５重量％
の、抗菌性の銀含有ガラスを含んでなり、ここで
Ｒ1はＣａ、Ｍｇ、Ｚｎ及び／又はＣｕから選択され、そしてＲ2はＮａ、Ｋ及び／又はＬｉから選択される、
皮膚に対する配置又は適用に適する物質。
２．  ガラス組成
Ｐ2Ｏ5を４０〜６０モル％、
Ｒ1Ｏを３５〜５５モル％、
Ｒ22Ｏを０〜５モル％、
ＳｉＯ2、Ａｌ2Ｏ3を５〜２０モル％、及び
Ａｇ2Ｏを０．１％〜５重量％
を有する、上記１の物質。
３．  ガラス組成
Ｐ2Ｏ5を４５〜５５モル％、
ＣａＯ、ＭｇＯを３５〜５０モル％、
Ｎａ2Ｏ、Ｋ2Ｏを０〜５モル％、
ＳｉＯ2を０〜５モル％、
Ａｌ2Ｏ3を５〜１５モル％及び
Ａｇ2Ｏを０．５％〜３重量％
を有する、上記２の物質。
４．  ガラス組成
酸化銀を含まないガラスの総量に基づいて
Ｐ2Ｏ5を５０モル％、
ＭｇＯを４４モル％、
Ａｌ2Ｏ3を６モル％及び
ガラスの総質量に基づいて
Ａｇ2Ｏを２重量％、
を有する、又は
ガラス組成
Ｐ2Ｏ5を７３．３５重量％、
ＭｇＯを１８．３３重量％、
Ａｌ2Ｏ3を６．３２重量％及び、ガラスの総質量に基づいて
Ａｇ2Ｏを２．０重量％、を有する、
上記３の物質。
５．  物質の総質量に基づいて０．００１％〜４０重量％、好ましくは０．０５％〜１重量％の銀含有ガラスが存在することを特徴とする、上記１〜４のいずれか１項の物質。
６．  銀ガラスが０．１μｍ〜１０μｍの間の容量に基づく粉末度を有することを特徴とする、前記上記のいずれか１項の物質。
７．  銀ガラスが５％以下の残留水分含量を有することを特徴とする、上記１〜６のいずれか１項の物質。
８．  物質が、重合体物質のポリアクリレート、ポリイソブチレン、スチレンブロック共重合体（ＳＢＣ）、ＳＩＢＳ化合物、ＳＥＢＳ化合物、シリコーン、ゴム化合物、キトサン、アルギネート、ヒドロゲル、ヒドロコロイド、寒天／ＰＡＳ基剤のゲルマトリックス、、ＰＶＡ／ＰＡＳ基剤の重合体及び／又は好ましくはポリウレタンの群から選択されることを特徴とする、上記１〜８のいずれか１項の物質。
９．  重合体物質が自己接着性であることを特徴とする、上記８の重合体物質。
１０．  組成
ａ）２〜６個のヒドロキシル基、２０〜１１２のＯＨ数及び≧１０重量％のエチレンオキシド（ＥＯ）含量を有するポリエーテルポリオール、
ｂ）抗酸化剤、
ｃ）触媒としての、ポリオールａ）に可溶性で、２〜１８個の炭素原子を有するカルボン酸に基づくカルボン酸ビスマス（ＩＩＩ）及び
ｄ）少なくとも５．２のポリウレタン形成成分ａ）及びｄ）の官能価の生成物を含むヘキサメチレン・ジイソシアネート、
（ここで触媒ｃ）の量はポリオールａ）に基づき０．００５％〜０．２５重量％であり、抗酸化剤ｂ）の量はポリオールａ）に基づき０．１％〜１．０重量％の範囲内にあり、そして成分ａ）の遊離ＯＨ基に対する成分ｄ）の遊離ＮＣＯ基の比率（イソシアネート係数）は０．３０〜０．７０の範囲内にある）、
のポリウレタンが選択されることを特徴とする、上記８又は９の重合体物質。
１１．  重合体物質が発泡されていないことを特徴とする、上記８〜１０のいずれか１項の重合体物質。
１２．  重合体物質が発泡されていることを特徴とする、上記８〜１０のいずれか１項の重合体物質。
１３．  重合体物質が透明であることを特徴とする、上記８〜１２のいずれか１項の重合体物質。
１４．  重合体マトリックスの総重量に基づいて好ましくは０．０１％〜４０重量％、とりわけ０．５％〜３０重量％、特に２０重量％の割合で、高吸収物質が重合体マトリックス中に更に存在することを特徴とする、上記８〜１３のいずれか１項の重合体物質。
１５．  更なる抗菌性銀化合物が更に存在することを特徴とする、上記８〜１４項のいずれか１項の重合体物質。
１６．  物質の総重量に基づいて好ましくは、０．０１％〜５重量％の量の元素アルミニウム、亜鉛、マグネシウム及び／又はそれらの塩基性化合物が重合体中に存在することを特徴とする、上記８〜１５のいずれか１項の重合体物質。
１７．  有効な皮膚の手入れ及び／又は創傷治療物質が添加されていることを特徴とする、上記８〜１６のいずれか１項の重合体物質。
１８．  重合体物質が包帯（ｄｒｅｓｓｉｎｇ）物質の形態にあり、皮膚に面する側上に自己接着層が付いている裏地材料の、皮膚に面する側上に適用されていることを特徴とする、上記８〜１７のいずれか１項の重合体物質。
１９．  物質が化粧品調製物、特にＷ／Ｏ、Ｏ／Ｗ、Ｗ／Ｏ／Ｗ又はＯ／Ｗ／Ｏエマルジョンの形態のエマルジョン、ミクロエマルジョン、ピッケリングエマルジョンあるいは噴霧可能なエマルジョン及び水性ヒドロゲルの群から選択されることを特徴とする、上記１〜７のいずれか１項の物質。
２０．  物質が払拭物、パッド、皮膚接触物質の群から選択され、物質が銀ガラスを含んでなる含浸溶液で湿らされていることを特徴とする、上記１〜７のいずれか１項の物質。
２１．  物質が清浄化調製物、特に浴用泡剤及びシャワー用製品、固形及び液体石鹸又は「ｓｙｎｄｅｔｓ」（合成洗剤）と呼ばれるもの、シャンプー、手洗い用ペースト、私的洗浄物、幼児用特別清浄化製品、シャワーゲル剤、クレンザー、メークアップ落とし剤又は髭剃り用製品の群から選択されることを特徴とする、上記１〜７のいずれか１項の物質。
２２．  抗菌性又は消毒性皮膚手入れ剤、毛髪手入れ剤及び／又は創傷手当て剤のための上記１〜２１のいずれか１項の物質の使用方法。
２３．  ヒト又は動物の皮膚上に配置又は適用のための上記１〜２１のいずれか１項の物質の使用方法。
２４．  湿った創傷の処置のための湿式活性（ｈｙｄｒｏａｃｔｉｖｅ）創傷接触物質としての上記８〜１８のいずれか１項の重合体物質の使用方法。
２５．  ヒトの皮膚に適用のための放射線、水分及び／又は熱に対する変色に安定な抗菌性創傷接触物質としての上記８〜１８のいずれか１項の重合体物質の使用方法。
２６．  創傷処置のための上記８〜１８のいずれか１項の重合体物質の使用方法。
２７．  ５０ｍｇ／重合体物質１ｋｇまでの、とりわけ５〜３０ｍｇ／ｋｇの銀の放出をもたらすための上記８〜１８のいずれか１項の重合体物質の使用方法。
２８．  ２〜２４０時間、とりわけ１０〜９６時間の期間にわたり銀の放出をもたらすための上記８〜１８のいずれか１項の重合体物質の使用方法。
２９．  刺激性皮膚状態を緩和し、皮膚のホメオスタシスを再構築する補助をし、そして同時に皮膚を手入れするための上記１９、２０又は２１のいずれか１項の、化粧品調製物又は清浄化調製物の使用方法。
３０．  日光浴後用製品としての上記１９の化粧品調製物の使用方法。
３１．  口唇手入れ用スティックとして又は装飾用化粧品のための上記１９の化粧品調製物の使用方法。